(57)【要約】【課題】伸縮性を有して身体にフィットするとともに、重量が軽くて防カビ対策を施すことのできる業務用エプロンを提供すること。【解決手段】エプロンは、肩掛け部と胴体部とを有して形成し、ポリエステル合成繊維のニットで形成する基布層３と、ポリウレタン耐熱ラミネートとして形成する表面樹脂層５とで構成する積層体１を、一部又は全部に使用する。【選択図】図１
2006045687.tif 000002
【特許請求の範囲】
【請求項１】
ニットで形成される基布層に、耐熱ラミネートの表面樹脂層を貼着して構成されていることを特徴とするエプロン。
【請求項２】
前記基布層が、ポリエステル系合成繊維で形成されていることを特徴とする請求項１記載のエプロン。
【請求項３】
前記基布層のニットが、トリコット１００％で形成されていることを特徴とする請求項２記載のエプロン。
【請求項４】
前記表面樹脂層が、ポリウレタン系樹脂材で形成されていることを特徴とする請求項１，２又は３記載のエプロン。
【請求項５】
前記ポリエステル系合成繊維が、防カビ、抗菌加工処理を施して形成されていることを特徴とする請求項２記載のエプロン。
【請求項６】
ニットで形成される基布層に、耐熱ラミネートの表面樹脂層を貼着して構成されていることを特徴とする積層体。
【発明の詳細な説明】
【技術分野】
【０００１】
本発明は、身体に着用するエプロンに関し、さらに学校給食用や食品工業用または厨房作業用等の業務用に好適に使用されるエプロンに関する。
【背景技術】
【０００２】
一般に身体に着用するエプロンは、家庭用に使用されるエプロンと学校給食用や食品工業用または厨房作業用等に使用される業務用エプロンとがあり、それぞれ用途に合わせて、その素材構成が異なる。業務用エプロンは、例えば、厨房作業用で使用される場合、床面で水を使用することが多く、また、身体への着用という点で重量を軽くすることが望まれていた。そのために、業務用エプロンの一部の仕様においては、ナイロンで形成された織物地の基布層と、基布層にコーティングするポリウレタン樹脂層とで構成された積層体を使用していた。このエプロンは、極めて軽くて強く、さらに防水性や防汚性に優れていた。
【０００３】
なお、上記の業務用エプロンは、現在使用されているものであり、これに関する特許文献は発見されていない。
【発明の開示】
【発明が解決しようとする課題】
【０００４】
しかし、業務用に使用されるエプロンは、一般にその着衣時間が長時間にわたることが多い。加えて、近年、例えば、厨房作業においては、床面で極力水を使わずに、長靴も使用しない厨房設備が増えつつあることから、防水性よりも、できるだけ身体にフィットした状態で使用することが望まれていた。
【０００５】
従来の業務用エプロンは、基布層がナイロンの織物地（特に平織り）で形成されていることから、生地が強く形成されているものの、伸縮性に乏しくまた肌触りが固く風合いに課題を生じていた。
【０００６】
また、織物地の基布層に樹脂層をコーティングすることは、基布層の凹凸面に沿って樹脂層の膜が形成されることとなって、光沢を低下させる要因となっていた。さらに、軽い重量を維持するとともに、防カビ性を向上できる業務用エプロンが要望されていた。
【課題を解決するための手段】
【０００７】
本発明は、上述の課題を解決するものであり、伸縮性を有して風合いを向上し身体にフィットするとともに、光沢を向上して、しかも重量が軽く防カビ性を有して構成されたエプロンを提供することを目的とする。そのために、本発明に係るエプロンは、以下のように構成するものである。すなわち、
請求項１記載の発明では、ニットで形成される基布層に、耐熱ラミネートの表面樹脂層を貼着して構成されているものである。
【０００８】
請求項２記載の発明では、前記基布層が、ポリエステル系合成繊維で形成されていることを特徴としている。
【０００９】
請求項３記載の発明では、前記基布層のニットが、トリコット１００％で形成されていることを特徴としている。
【００１０】
請求項４記載の発明では、前記表面樹脂層が、ポリウレタン系樹脂材で形成されていることを特徴としている。
【００１１】
請求項５記載の発明では、前記ポリエステル系合成繊維が、防カビ、抗菌加工処理を施して形成されていることを特徴としている。
【００１２】
また、請求項６記載の発明の積層体は、ニットで形成される基布層に、耐熱ラミネートの表面樹脂層を貼着して構成されていることを特徴とするものである。
【発明の効果】
【００１３】
請求項１記載の発明によれば、エプロンは、裏地側に形成される基布層がニット、つまり編物地で形成されている。編物地は織物地と異なり、糸でループを形成することから伸縮性に富み、しなやかさを有して身体にフィット感を持つことができる。そのため、アクティブな動きに追随することができる。また、耐熱ラミネートの表面樹脂層を基布層に貼り付けることによって、凹凸状の基布層の凹部に入り込んで重なるコーティングと異なり、表面を均一に形成することができることから光沢を向上させることができる。しかも表面樹脂層が耐熱ラミネートであることによって、例えば、火を多く使用する作業でも長期間にわたって対応することができる。
【００１４】
請求項２記載の発明によれば、基布層に形成するニットをポリエステル系の合成繊維で形成している。ポリエステル系合成繊維はヤング率が高くナイロンより伸縮性が良好で風合いに優れていることから、ニットの基布層を形成することによって請求項1記載の発明と同様、フィット感を持つことができる。又、ポリエステル系の合成樹脂は機械強さが大きく耐久性に優れていることから、屈んだり曲げたりしても損傷は少なく長期間の使用に対応することができる。しかも、比重はナイロンより大きいものの他の繊維と比べて大きくなく軽さを維持することができる。
【００１５】
請求項３記載の発明によれば、基布層を形成するニットはトリコット１００％で形成されている。つまり、トリコットが、縦方向の編み目を構成する縦糸を一つ置きの編み目と絡み合って形成していることから、解けにくく丈夫に構成されることとなる。特に、トリコット１００％で形成されたニットの着衣は、そのエプロンの端部が、常時、物に接触しても端部の糸崩れが生じにくいことから長期間の使用を可能とすることができる。
【００１６】
請求項４記載の発明によれば、耐熱ラミネートの表面樹脂層がポリウレタン製で形成されていることから、耐水性に優れ、水を多く使用する作業には有利である。しかも、塩化ビニールを含んでいないことから、焼却してもダイオキシンを発生することなく環境にやさしく安全性を向上できる。
【００１７】
請求項５記載の発明によれば、前記ポリエステル系合成繊維が、防カビ、抗菌加工を施して形成されている。例えば、学校給食や食品工業等の厨房では、水を使うことが多いことからカビが発生しやすい。特に青カビや黒カビは、野菜や果物又は肉類に発生しやすく、これらのカビがエプロンに付着すると、シミとなって腐食しやすい。また、新鮮な食品に伝染して食品を腐食させることもある。本発明では、防カビ、抗菌加工を施したポリエステル合成繊維で基布層を形成していることから、カビや細菌が付着することなく衛生的なエプロンを提供することができる。
【００１８】
請求項６記載の発明によれば、積層体の裏地側に形成される基布層がニット、つまり編物地で形成されている。編物地は織物地と異なり、伸縮性に富み、しなやかさを有して身体にフィット感を持つことができる。そのため、アクティブな動きに追随することができる。また、耐熱ラミネートの表面樹脂層を基布層に貼り付けることによって、表面を均一に形成することができることから光沢を向上させることができる。しかも表面樹脂層が耐熱ラミネートであることによって、例えば、火を多く使用する作業でも長期間にわたって対応することができる。
【発明を実施するための最良の形態】
【００１９】
次に、本発明の積層体の一形態及びこの積層体を利用したエプロン（特に業務用エプロン）に関して図面に基づいて説明する。本発明の業務用エプロンは、主に、学校給食用や食品工業用あるいは厨房作業用のエプロンとして好適に使用される。そのため、しなやかさを有して身体にフィットできる素材構成を提供するものである。なお、以下説明する積層体は、エプロンに限定するものではなく、積層体の特徴を利用できるものであれば、それ以外の他の着衣に好適に使用できるものである。
【００２０】
図１は、本発明で特徴づけられる積層体１の素材構成を示す拡大断面図であり、基布層３と、基布層３に貼着する表面樹脂層５から形成されている。
【００２１】
基布層３は、厨房内で屈んだり曲げたりする動作に対応できるように伸縮性を有するとともに、しなやかさを有して風合いを向上するように形成する。これを達成するために、従来の織物地に代えてニット（編物地）構造としている。繊維は、伸縮性を有するとともに、機械的強さが大きくて耐久性のあるものが望ましいことから、ポリエステル系の合成繊維を使用する。ほかに、天然繊維であってもよいが、重量を軽減するには上記のポリエステル系の合成繊維が望ましい。さらにポリエステル系の合成繊維は、特に融点が高く冷延伸が可能となって実用的なポリエチレンテレフタレート（ＰＥＴ）を好適に使用できる。
【００２２】
ニットで形成された基布層３は、縦方向に伸縮性を有するとともにアクティブな動きを想定して解けにくい立て編みが望ましく、例えば、図２に示すように、トリコット１００％で形成する。トリコットとしては、標準的なプレントリコットでよく、別に、丈夫に形成するアトラス編みや、糸の重なりを多くして厚地とするダブルバーコードにしてもよい。また、よこ編みで形成する場合には、横方向に伸縮性を有する平編みとしての天竺編みで形成することが望ましい。
【００２３】
また、ポリエステル系の合成繊維は、防カビ、抗菌加工が施されている。防カビ加工としては、特に黒カビ、青カビに対応できる防カビ素材、例えば、商品名「Ｂｉｏｎｉｘ」（小松精練製）を使用して処理することが望ましい。この防カビ加工を行うことによって、黒カビや青カビの付着を防ぐとともに使用する食品をカビから保護することができる。なお、上記の防カビ素材は、水洗濯やドライクリーニング洗濯しても防カビ性を維持することができる。
【００２４】
表面樹脂層５は、防水性を有して環境にやさしく塩素を含まない樹脂製の材料で、耐熱ラミネートとして形成されている。樹脂材としてはポリウレタン系の樹脂材を使用する。ポロウレタン樹脂材は、ポリエステル系を好適に使用する。そして、ポリウレタン樹脂材に適宜選択したカラー顔料を混合して耐熱ラミネートに形成する。この表面樹脂層５をニットで形成された基布層３に貼着して形成する。貼着することによってポリウレタン樹脂がニットで形成された基布層３の凹部に入り込みにくくなって表面を均一化することができる。これによって光沢を向上できる。
【００２５】
なお、この積層体１における素材構成では、ポリエステルが６０〜７０％、ポリウレタンが３０〜４０％、顔料が１％未満で構成されている。
【００２６】
次に、上記のように、基布層（ポリエステルニット）３と、表面樹脂層（ポリウレタン耐熱ラミネート）５で構成された積層体１を、エプロンで使用する場合の説明をする。この場合、エプロンは、全体に積層体１で構成してもよく、また積層体１を一部に使用して構成してもよい。
【００２７】
図３に示すエプロン１０は、肩掛け部１１と胸当て部から腰下まで一体的に形成された胴体部１２とを有している。肩掛け部１１及び胴体部１２は、上記に示したように、基布層３と基布層３に貼着した表面樹脂層５とからなる積層体１で構成されている。つまり、基布層３はポリエステル系合成繊維のニットで形成され、表面樹脂層５はポリウレタン樹脂の耐熱ラミネートで形成されている。
【００２８】
胴体部１２の周縁部は折返し部を形成し、折り返し先端部で縫合処理されている。上側縁部１２ａと下側縁部１２ｂは、図４に示すように、縁部を２回内側に折り返して３重で縫合処理をしている。また、上縁部１２ｃと下縁部１２ｄは、図５に示すように、１回折り返して二重で縫合処理をしている。編物地では、織物時と異なり縦糸と緯糸とを有するものではないことから、端部からの糸崩れは少ないものの、本形態ではいずれも胴体部１２の端部を二重折にすることによって、さらに端部からの糸崩れを防止している。
【００２９】
肩掛け部１１は、一端を胴体部１２の上端両側に縫合するとともに、他端をポリカーボネートで形成したリング１３に挿通してクロスさせ、それぞれ、防錆材料（例えば、ステンレス材）の金具１４に挿通させている。一対の肩掛け部１１を挿通するリング１３を上下動することによって、リング１３から突出した部位の一対の肩掛け部１１の長さ調整を可能としている。
【００３０】
なお、このエプロン１０においては、肩掛け部１１を、上述の積層体１で構成するものでなく、例えば、基布にナイロン系の合成繊維を使用して編物地で構成してもよく、また織物時で形成するものであってもよい。さらに、胴体部１２の一部に、ナイロン系あるいはその他の合成繊維を基布層３として形成してもよく、また、その部位を織物時に形成してもよい。
【００３１】
上記のように、実施形態のエプロン１０では、次の効果を達成することから、学校給食用や食品工業用又は厨房作業用として長時間の着衣時間でも好適に使用できる。つまり、
第１に、エプロン１０は、ポリエステル系の合成繊維でニットを形成する基布層３と、基布層３に貼着するポリウレタン樹脂材の耐熱ラミネートの表面樹脂層５とで構成する積層体１を一部または全部に使用することから、伸縮性を有してアクティブな動きに追随することができる。また、風合いに優れていることから身体に着衣したときにフィット感を感じることができる。重量が軽いことから、着衣したときに肩の疲れが少なく疲労感を伴うことがない。
【００３２】
第２に、ニットで形成された基布層３は、トリコット１００％で形成していることから、一つ置きの縦糸が絡み合って強固に形成され、糸崩れを少なくして耐久性を向上することができる。
【００３３】
第３に、ニットを形成するポリエステル形合成繊維が、商品名「ＢｉｏｎｉＸ」で防カビ加工を施していることから、特に青カビや黒カビの付着を防止することができる。そのため、極めて衛生的に形成される。
【図面の簡単な説明】
【００３４】
【図１】本発明の一形態における積層体の素材構成を示す拡大図である。
【図２】図１の積層体における基布層の一形態を示す組織図である。
【図３】図１の素材で構成されたエプロンを示す全体図である。
【図４】図３におけるエプロンの下側縁部を示す断面図である。
【図５】図３におけるエプロンの下縁部を示す断面図である。
【符号の説明】
【００３５】
１、積層体
３、基布層
５、表面樹脂層
１０、エプロン
１１、肩掛け部
１２、胴体部
１２ａ、上側縁部
１２ｂ、下側縁部
１２ｃ、上縁部
１２ｄ、下縁部
【図１】
2006045687.tif 000003
【図２】
2006045687.tif 000004
【図３】
2006045687.tif 000005
【図４】
2006045687.tif 000006
【図５】
2006045687.tif 000007